(57)【要約】【課題】複数の項目を適宜関連付けて金融商品を定義する処理を簡易、迅速、確実に行う。【解決手段】（１）第１〜７の項目を表示する第１の領域と、第１〜３の分類フォルダを表示する第２の領域とを同時に表示して、第１〜７の項目のいずれかを、第１〜３の分類フォルダのいずれかへ収容させる指示の入力を促し、（２）入力された指示に従って、第１〜５の項目を第１の分類フォルダに、第６の項目を第２の分類フォルダに、第７の項目を第３の分類フォルダに関連付けて記憶し、さらに（３）第２の領域と、第１〜２の商品フォルダを表示する第３の領域とを同時に表示して、第１〜３の分類フォルダのいずれかを、第１又は第２の商品フォルダのいずれかへ収容させる指示の入力を促し、（４）入力された指示に従って、第１及び第２の分類フォルダを第１の商品フォルダに、第１及び第３の分類フォルダを第２の商品フォルダに関連付けて記憶する。【選択図】      図２
2004295630.tif 000002
【特許請求の範囲】
【請求項１】
第１乃至第７の項目の組み合わせによって第１，第２の金融商品を定義するためにコンピュータを、
前記第１乃至第７の項目を表示する第１の領域と、
第１乃至第３の分類用フォルダを表示する第２の領域と、
を同時に表示して、前記第１乃至第７の項目のいずれかを選択し、前記第１乃至第３の分類用フォルダのいずれかへ収容させる旨の指示の入力を促す表示手段、
入力された指示に従って、
前記第１乃至第５の項目を前記第１の分類用フォルダに、
前記第６の項目を前記第２の分類用フォルダに、及び
前記第７の項目を前記第３の分類用フォルダに
関連付けて記憶する記憶手段、として機能させ、さらに
前記第２の領域と、
前記第１及び第２の商品用フォルダを表示する第３の領域と、を同時に表示して、前記第１乃至第３の分類用フォルダのいずれかを選択し、前記第１又は第２の商品用フォルダのいずれかへ収容させる旨の指示の入力を促す表示手段、
入力された指示に従って、
前記第１及び第２の分類用フォルダを前記第１の商品用フォルダに、及び
前記第１及び第３の分類用フォルダを前記第２の商品用フォルダに、
関連付けて記憶する記憶手段、として機能させることを特徴とする金融商品定義用プログラム。
【請求項２】
第１乃至第１１の項目の組み合わせによって第１乃至第４の金融商品を定義するためにコンピュータを、
前記第１乃至第１１の項目を表示する第１の領域と、
第１乃至第７の分類用フォルダを表示する第２の領域と、を同時に表示して、前記第１乃至第１１の項目のいずれかを選択し、前記第１乃至第７の分類用フォルダのいずれかへ収容させる旨の指示の入力を促す表示手段、
入力された指示に従って、
前記第１乃至第３の項目を前記第１の分類用フォルダに、
前記第４及び第５の項目を前記第２の分類用フォルダに、
前記第６及び第７の項目を前記第３の分類用フォルダに、
前記第８の項目を前記第４の分類用フォルダに、
前記第９の項目を前記第５の分類用フォルダに、
前記第１０の項目を前記第６の分類用フォルダに、及び
前記第１１の項目を前記第７の分類用フォルダに
関連付けて記憶する記憶手段、として機能させ、さらに
前記第２の領域と、
前記第１乃至第４の商品用フォルダを表示する第３の領域と、を同時に表示して、前記第１乃至第５の分類用フォルダのいずれかを選択し、前記第１乃至第３の商品用フォルダのいずれかへ収容させる旨の指示の入力を促す表示手段、
入力された指示に従って、
前記第１，第２，第４の分類用フォルダを前記第１の商品用フォルダに、
前記第１，第２，第５の分類用フォルダを前記第２の商品用フォルダに、
前記第１，第３，第６の分類用フォルダを前記第３の商品用フォルダに、
前記第１，第３，第７の分類用フォルダを前記第４の商品用フォルダに、
関連付けて記憶する記憶手段、として機能させることを特徴とする金融商品定義用プログラム。
【請求項３】
第１乃至第７の項目の組み合わせて第１，第２の金融商品を定義する方法であって、
表示手段が、
前記第１乃至第７の項目を表示する第１の領域と、
第１乃至第３の分類用フォルダを表示する第２の領域と、
を同時に表示して、前記第１乃至第７の項目のいずれかを選択し、前記第１乃至第３の分類用フォルダのいずれかへ収容させる旨の指示の入力を促し、
関連付け記憶手段が、入力された指示に従って、
前記第１乃至第５の項目を前記第１の分類用フォルダに、
前記第６の項目を前記第２の分類用フォルダに、及び
前記第７の項目を前記第３の分類用フォルダに
関連付けて記憶し、さらに
前記表示手段が、
前記第２の領域と、
前記第１及び第２の商品用フォルダを表示する第３の領域と、
を同時に表示して、前記第１乃至第３の分類用フォルダのいずれかを選択し、前記第１又は第２の商品用フォルダのいずれかへ収容させる旨の指示の入力を促し、
前記関連付け記憶手段が、入力された指示に従って、
前記第１及び第２の分類用フォルダを前記第１の商品用フォルダに、及び
前記第１及び第３の分類用フォルダを前記第２の商品用フォルダに、
関連付けて記憶することを特徴とするコンピュータによる金融商品定義方法。
【請求項４】
第１乃至第１１の項目の組み合わせて第１乃至第４の金融商品を定義する方法であって、
表示手段が、
前記第１乃至第１１の項目を表示する第１の領域と、
第１乃至第７の分類用フォルダを表示する第２の領域と、
を同時に表示して、前記第１乃至第１１の項目のいずれかを選択し、前記第１乃至第７の分類用フォルダのいずれかへ収容させる旨の指示の入力を促し、
関連付け記憶手段が、入力された指示に従って、
前記第１乃至第３の項目を前記第１の分類用フォルダに、
前記第４及び第５の項目を前記第２の分類用フォルダに、
前記第６及び第７の項目を前記第３の分類用フォルダに、
前記第８の項目を前記第４の分類用フォルダに、
前記第９の項目を前記第５の分類用フォルダに、
前記第１０の項目を前記第６の分類用フォルダに、及び
前記第１１の項目を前記第７の分類用フォルダに
関連付けて記憶し、さらに
前記表示手段が、
前記第２の領域と、
前記第１乃至第４の商品用フォルダを表示する第３の領域と、
を同時に表示して、前記第１乃至第５の分類用フォルダのいずれかを選択し、前記第１乃至第３の商品用フォルダのいずれかへ収容させる旨の指示の入力を促し、
前記関連付け記憶手段が、入力された指示に従って、
前記第１，第２，第４の分類用フォルダを前記第１の商品用フォルダに、
前記第１，第２，第５の分類用フォルダを前記第２の商品用フォルダに、
前記第１，第３，第６の分類用フォルダを前記第３の商品用フォルダに、
前記第１，第３，第７の分類用フォルダを前記第４の商品用フォルダに、
関連付けて記憶することを特徴とするコンピュータによる金融商品定義方法。
【発明の詳細な説明】
【０００１】
【発明の属する技術分野】
本発明は、複数の項目を関連付けることによって金融商品を定義するために使用される金融商品定義用プログラム及び金融商品定義方法に関する。
【０００２】
【従来の技術】
契約者の住所、氏名、年令、性別など契約主体を特定する項目やその他の項目を定義し、そのような定義された項目を適宜組み合わせることによって、自動車保険、火災保険、生命保険、傷害保険などの保険商品を含む金融商品を構成する技術が開示されている（例えば、特許文献１参照。）。
【０００３】
【特許文献１】
特開２００３−３０４２４（第２図）
【０００４】
【発明が解決しようとする課題】
しかしながら、上記従来技術においては、多数の項目を用いて複数の金融商品を定義する場合に、多数の項目の中から必要な項目を選択し、選択された項目を各金融商品に関連付けるという操作を繰り返さなければならないためとても煩雑であった。
【０００５】
例えば、第１〜１１の項目を第１〜４の商品に関連付ける場合であって、第１〜３の項目を第１〜４の全商品に関連付け、第４及び第５の項目を第１及び第２の商品に関連付け、第６及び第７の項目を第３及び第４の全商品に関連付け、第８の項目を第１の商品に関連付け、第９の項目を第２の商品に関連付け、第１０の項目を第３の商品に関連付け、第１１の項目を第４の商品に関連付けというように、関連付け操作を２４回も繰り返さなければならない。
【０００６】
本発明は、上記課題に鑑みてなされたものであり、このような関連付け操作の簡略化を可能とする金融商品定義用プログラム及び金融商品定義方法の提供を目的とする。
【０００７】
【課題を解決するための手段】
本発明の第１の特徴は、金融商品定義用プログラムであって、第１乃至第７の項目の組み合わせによって第１，第２の金融商品を定義するためにコンピュータを、（１）前記第１乃至第７の項目を表示する第１の領域と、第１乃至第３の分類用フォルダを表示する第２の領域と、を同時に表示して、前記第１乃至第７の項目のいずれかを選択し、前記第１乃至第３の分類用フォルダのいずれかへ収容させる旨の指示の入力を促す表示手段、（２）入力された指示に従って、前記第１乃至第５の項目を前記第１の分類用フォルダに、前記第６の項目を前記第２の分類用フォルダに、及び前記第７の項目を前記第３の分類用フォルダに関連付けて記憶する記憶手段、として機能させ、さらに（３）前記第２の領域と、前記第１及び第２の商品用フォルダを表示する第３の領域と、を同時に表示して、前記第１乃至第３の分類用フォルダのいずれかを選択し、前記第１又は第２の商品用フォルダのいずれかへ収容させる旨の指示の入力を促す表示手段、（４）入力された指示に従って、前記第１及び第２の分類用フォルダを前記第１の商品用フォルダに、及び前記第１及び第３の分類用フォルダを前記第２の商品用フォルダに、関連付けて記憶する記憶手段、として機能させることにある。
【０００８】
かかる第１の特徴によれば、複数の商品の定義に共通して必要な項目をグループ化し、そのグループを複数の商品に関連付けることによって、複数の項目を複数の商品に関連付ける操作が単純、明確、簡易化され、また類似する商品間の相違点の把握も容易にできる。なお「フォルダ」には、「ディレクトリ」も含まれる。
【０００９】
また、本発明の第２の特徴は、金融商品定義用プログラムであって、第１乃至第１１の項目の組み合わせによって第１乃至第４の金融商品を定義するためにコンピュータを、（１）前記第１乃至第１１の項目を表示する第１の領域と、第１乃至第７の分類用フォルダを表示する第２の領域と、を同時に表示して、前記第１乃至第１１の項目のいずれかを選択し、前記第１乃至第７の分類用フォルダのいずれかへ収容させる旨の指示の入力を促す表示手段、（２）入力された指示に従って、前記第１乃至第３の項目を前記第１の分類用フォルダに、前記第４及び第５の項目を前記第２の分類用フォルダに、前記第６及び第７の項目を前記第３の分類用フォルダに、前記第８の項目を前記第４の分類用フォルダに、前記第９の項目を前記第５の分類用フォルダに、前記第１０の項目を前記第６の分類用フォルダに、及び前記第１１の項目を前記第７の分類用フォルダに関連付けて記憶する記憶手段、として機能させ、さらに（３）前記第２の領域と、前記第１乃至第４の商品用フォルダを表示する第３の領域と、を同時に表示して、前記第１乃至第５の分類用フォルダのいずれかを選択し、前記第１乃至第３の商品用フォルダのいずれかへ収容させる旨の指示の入力を促す表示手段、（４）入力された指示に従って、前記第１，第２，第４の分類用フォルダを前記第１の商品用フォルダに、前記第１，第２，第５の分類用フォルダを前記第２の商品用フォルダに、前記第１，第３，第６の分類用フォルダを前記第３の商品用フォルダに、前記第１，第３，第７の分類用フォルダを前記第４の商品用フォルダに、関連付けて記憶する記憶手段、として機能させることにある。
【００１０】
かかる第２の特徴によれば、複数の項目を収容し、かつ複数回利用される分類の数が「複数」であるため、複数の項目を収容し、かつ複数回利用される分類の数が「１つ」である場合に比して、さらに関連付け操作が単純、明確、簡易化され、また類似する商品間の相違点の把握も容易になる。
【００１１】
【発明の実施の形態】
以下、図面を参照しながら本発明の実施の形態を説明する。
【００１２】
（第１実施形態）
図１に示すように、本実施形態で使用するコンピュータシステム１２は、バス１３を介してコンピュータ全体の制御を行う制御手段である中央処理装置（ＣＰＵ）１４と、モニタ画面１５を有するモニタ１６と、入力装置であるキーボード１８及びマウス２０と、これらモニタ１６、キーボード１８、マウス２０との入出力を制御するインターフェース回路（ＩＦ）２２と、記憶部とを備える。この記憶部は、不揮発性記憶部であるリードオンリーメモリ（ＲＯＭ）２４と、ランダムアクセスメモリ（ＲＡＭ）２６と、プログラム等を格納するハードディスクドライブ（ＨＤＤ）２８と、外部記録媒体を制御する記録媒体ドライブ３０等を備える。外部記憶媒体には、コンパクトディスク−リードオンリーメモリ（ＣＤ−ＲＯＭ）、フレキシブルディスク（ＦＤ）、光磁気ディスク（ＭＯ）、ミニディスク（ＭＤ）、デジタルビデオディスク（ＤＶＤ）などが含まれる。そして、プログラムやデータは、ＨＤＤ２８やこれら外部記憶媒体からＲＡＭ２６にロードされて実行されるとしても良い。
【００１３】
キーボード１８は、文字キーや数字キーを押してフォルダ名などを入力するために使用される。
【００１４】
マウス２０は、ファイルやフォルダのドラッグ開始時に押され、ドロップ時に解放される左ボタン２０ａを備える。ここで、左ボタン２０ａを押したままマウス２０を移動させてアイコン（画面上でファイル等をシンボル化して示す小さな図記号）等の位置をモニタ画面１５上で移動させる操作をドラッグと言う。また、ドラッグによりアイコン等をモニタ画面１５上で移動させ、左ボタン２０ａを解放することをドロップと言う。なお、マウス２０の代わりに、トラックボール、トラックパッド、ジョイスティックなどをポインティングデバイスとして用いても良い。
【００１５】
ＲＯＭ２４には、基本入出力システム（ＢＩＯＳ）などが記憶される。ＢＩＯＳは電源投入時にモニタ１６、キーボード１８、マウス２０、ＲＡＭ２６などの診断及び初期化を行う。
【００１６】
ＲＡＭ２６は、各項目ファイルの属性や、項目ファイルと分類用フォルダとの間の関連付けや、分類フォルダと商品定義フォルダとの間の関連付けなどのデータを一時的に格納するデータ領域２６ａと、金融商品定義プログラム１０などをロードするプログラム領域２６ｂとを有する。
【００１７】
ハードディスク２８には、金融商品定義プログラム１０、オペレーションシステム（ＯＳ）１１及び複数の項目ファイル３２などが格納されている。
【００１８】
よって、本発明は、通常のパーソナルコンピュータ（ＰＣ）や、ワークステーションやこれらの組み合わせによって実施可能である。ただし、これらの構成要素は単なる例示である。例えば、図１はスタンド・アロン環境のシステムを示しているが、クライアント／サーバ・システムとして本発明を実現し、サーバマシンに本発明の金融商品定義プログラム１０を配置し、クライアントマシンは、サーバマシンに対してイーサネット（登録商標）、トークン・リングなどでＬＡＮ接続し、クライアントマシン側には、各種入力のためのマウス２０などの入力装置と、プログラムの実行結果を見るためのモニタ１６を配置しても良い。
【００１９】
図２に示すように、金融商品定義プログラム１０は、所定のフォルダ（又はディレクトリ）内のファイルをモニタ画面１５に表示するファイル表示機能５２と、マウス２０の操作によって所望のファイルを選択するファイル選択機能５４と、フォルダをモニタ画面１５に表示するフォルダ表示機能５６と、マウス２０の操作によって所望のフォルダを選択するフォルダ選択機能５８と、マウス操作結果を反映させてファイルとフォルダ又はフォルダとフォルダの関連付け情報を記録する関連付け情報記憶機能６０とを有する。
【００２０】
ＯＳ１１は、コンピュータシステム全体を制御する機能を有し、金融商品定義プログラム１０等のアプリケーションプログラムを起動させる。また、アプリケーションプログラムからの要求に応じてモニタ画面１５に必要な文字列や画像を表示し、さらにキーボード１８、マウス２０、ＲＡＭ２６、ＨＤＤ２８、記憶媒体ドライブ３０などの状態を監視したり、データ授受の仲介を行う。
【００２１】
金融商品定義プログラム１０は、図４に示すように、項目ファイル表示領域４０１と分類フォルダ表示領域４０３とを同時に表示する機能、及び図５に示すように、分類フォルダ表示領域４０３と商品フォルダ表示領域５０３とを同時に表示する機能を備える。
【００２２】
図４に示すように、項目ファイル表示領域４０１は、ＨＤＤ２８等に記憶されている項目ファイルのファイル名をそれに対応するアイコンと共に表示する領域である。表示されているアイコンの内のいずれか１つをカーソルで選択することができる。
【００２３】
図４及び図５に示すように、分類フォルダ表示領域４０３は、ＨＤＤ２８等に記憶されている分類用フォルダのフォルダ名をそれに対応するアイコンと共に表示し、かつ分類用フォルダ名と各分類用フォルダ間の階層関係を表示する領域である。図４では、一例として、両保険に共通して必要な項目を収納する共通フォルダ内のファイルがその右の領域４０５に表示されている。
【００２４】
図５に示すように、商品フォルダ表示領域５０３は、ＨＤＤ２８等に記憶されている商品定義用フォルダのフォルダ名をそれに対応するアイコンと共に表示し、かつ商品定義用フォルダ名と各商品定義用フォルダ間の階層関係を表示する領域である。図５では、一例として、自動車系フォルダ内のフォルダがその右の領域５０５に表示されている。
【００２５】
モニタ画面１５上に表示されるカーソルは、ＯＳ１１の機能によって、マウス２０の動きに連動してモニタ画面１５上を移動し、項目ファイル表示領域４０１と分類フォルダ表示領域４０３との間、又は分類フォルダ表示領域４０３と商品フォルダ表示領域５０３との間を行ったり来たりすることが可能であり、ドラッグの対象となるファイルやフォルダを選択し、ドロップ先となるフォルダを選択する機能を有する。
【００２６】
次に、金融商品定義プログラム１０のより詳細な内容と、この金融商品定義プログラム１０を用いた金融商品定義処理方法について説明する。
【００２７】
まず、コンピュータシステム１２の操作者は、ＯＳ１１の操作方法に基づいて、金融商品定義プログラム１０を起動させる。ＯＳ１１は、ＨＤＤ２８に格納されている金融商品定義プログラム１０をＲＡＭ２６のプログラム領域２６ｂにロードして実行する。
【００２８】
ステップＳ１０１において、金融商品定義プログラム１０は、モニタ画面１５上に、
（１）少なくとも第１乃至第７の項目ファイルを表示する項目ファイル表示領域４０１と、
（２）全保険共通分類（第１分類）フォルダ、
ＳＡＰ用分類（第２分類）フォルダ、及び
ＰＡＰ用分類（第３分類）フォルダを表示する分類フォルダ表示領域４０３との２つの領域を同時に表示する。
【００２９】
２つの領域の同時表示は、例えば、（１）ファイル表示機能５２によって第１乃至第７の項目ファイルに関する情報をＯＳ１１に受け渡して、項目ファイル表示領域４０１を表示させ、かつ（２）フォルダ表示機能５６によって全保険共通分類フォルダ、ＳＡＰ用分類フォルダ及びＰＡＰ用分類フォルダに関する情報をＯＳ１１に受け渡して、分類フォルダ表示領域４０３を表示させることにより行われる。
【００３０】
なお、ＳＡＰとは「スペシャル・オートモビル・ポリシー（自家用自動車総合保険）」の略であり、ＰＡＰとは「パッケージ・オートモビル・ポリシー（自動車総合保険）」の略である。
【００３１】
次に、ステップＳ１０３において、項目ファイル表示領域４０１内の所望の項目ファイルがコピー又は移動の対象として選択される。この選択は、例えば操作者が所望の項目ファイル上にマウスカーソルを移動させ、マウス２０の左ボタン２０ａをクリックすることにより行われる。ＯＳ１１は、マウス２０の左ボタン２０ａが「クリックされていない」又は「クリックされた」という情報と、マウスカーソルが位置する場所を特定するための座標情報とを金融商品定義プログラム１０に微小時間ごとに通知する。左ボタン２０ａが「クリックされた」つまり「ドラッグが開始された」という情報と、その時の座標情報とを受け取った金融商品定義プログラム１０のファイル選択機能５４は、ドラッグの対象とされた項目ファイルを認識する。
【００３２】
次に、ステップＳ１０５において、選択された項目ファイルが分類フォルダ表示領域４０３内の所望の分類フォルダへコピー又は移動される。このコピー又は移動は、例えば操作者が所望の分類フォルダ上までマウスカーソルを移動させて、マウス２０の左ボタン２０ａを放すことにより行われる。ＯＳ１１は、マウス２０の左ボタン２０ａが「クリックされている」又は「クリックされていない」という情報と、マウスカーソルの座標情報とを金融商品定義プログラム１０に微小時間ごとに通知する。左ボタン２０ａが「クリックされていない」つまり「ドロップされた」という情報と、その時の座標情報とを受け取った金融商品定義プログラム１０のフォルダ選択機能５８は、ドロップ先であるフォルダを認識する。
【００３３】
次に、ステップＳ１０７において、ドラッグの対象とされた項目ファイルがドロップ先のフォルダに関連付けて記憶される。この関連付けは、関連付け情報記憶機能６０が、例えば（１）ファイル選択機能５４からドラッグの対象と認識されたファイルを特定する情報を通知され、（２）フォルダ選択機能５８からドロップ先と認識されたフォルダを特定する情報を通知され、（３）関連付け情報記憶テーブルＴ６０１の「ドラッグ対象と認識されたファイルに関するレコード」の「ドロップ先と認識された分類フォルダを記憶するフィールド」に「ドロップ先の分類フォルダを特定する情報」を記憶することにより行われる。例えば、両自動車保険共通分類フォルダを特定する情報が「Ｂ１」、ＳＡＰ用分類フォルダを特定する情報が「Ｂ２」、ＰＡＰ用分類フォルダを特定する情報が「Ｂ３」である場合であって、ドラッグ対象とされたファイルが第１の項目ファイルで、ドロップ先と認識されたフォルダが第１の分類フォルダとする。この場合、「ドラッグ対象と認識されたファイルに関するレコード」はレコードＲ６１１、「ドロップ先と認識された分類フォルダを記憶するフィールド」は分類フィールドＦ６２１であるから、レコードＲ６１１の分類フィールドＦ６２１に「ドロップ先の分類フォルダを特定する情報」つまり「Ｂ１」が記憶される（図６のＴ６０３）。
【００３４】
次に、ステップＳ１０９において、金融商品定義プログラム１０は、モニタ画面１５上に、
（１）分類フォルダ表示領域４０３と、
（２）ＳＡＰ用商品（第１商品）フォルダ、及び
ＰＡＰ用商品（第２商品）フォルダを表示する商品フォルダ表示領域５０３の２つの領域を同時にモニタ画面１５上に表示する。
【００３５】
２つの領域の同時表示は、例えば、（１）フォルダ表示機能５６によって分類フォルダ表示領域４０３に関する情報をＯＳ１１に受け渡して、分類フォルダ表示領域４０３を表示させ、かつ（２）フォルダ表示機能５６によって商品フォルダ表示領域５０３に関する情報をＯＳ１１に受け渡して、商品フォルダ表示領域５０３を表示させることにより行われる。
【００３６】
次に、ステップＳ１１１において、分類フォルダ表示領域４０３内の所望の分類フォルダがコピー又は移動の対象として選択される。具体的には、ステップＳ１０３と同様に、左ボタン２０ａが「クリックされた」という情報と、その時の座標情報とをＯＳ１１を経由して受け取った金融商品定義プログラム１０のフォルダ選択機能５８が、ドラッグの対象とされた分類フォルダを認識する。
【００３７】
次に、ステップＳ１１３において、選択された分類フォルダが商品フォルダ表示領域５０３内の所望の商品フォルダへコピー又は移動される。具体的には、ステップＳ１０５と同様に、左ボタン２０ａが「クリックされていない」という情報と、その時の座標情報とをＯＳ１１を経由して受け取った金融商品定義プログラム１０のフォルダ選択機能５８が、ドロップ先であるフォルダを認識する。
【００３８】
次に、ステップＳ１１５において、ドラッグの対象とされた分類フォルダがドロップ先の商品フォルダに関連付けて記憶される。この関連付けは、例えば関連付け情報記憶機能６０が（１）フォルダ選択機能５８から、ドラッグの対象と認識された分類フォルダを特定する情報と、ドロップ先と認識された商品フォルダを特定する情報とを通知され、（２）関連付け情報記憶テーブルＴ６０５の「分類フォルダフィールドにドラッグ対象とされた分類フォルダを特定する情報が記憶されているレコード」のドロップ先の商品フォルダ用フィールドに「１」を記憶することにより行われる。
【００３９】
例えば、ドラッグの対象が両保険共通の分類フォルダであり、ドロップ先がＳＡＰ用の商品定義フォルダである場合、関連付け情報記憶機能６０は（１）フォルダ選択機能５８から、ドラッグの対象フォルダとして両保険共通の分類フォルダを特定する情報と、ドロップ先の商品フォルダとしてＳＡＰ用の商品フォルダを特定する情報とを通知され、（２）関連付け情報記憶テーブルＴ６０５（図６）の分類フォルダフィールドＦ６２１に両保険共通の分類フォルダを特定する情報「Ｂ１」が記憶されているレコード６１１〜６１５のＳＡＰ用フィールドＦ６２２に「１」を記憶することにより行われる（図６のＴ６０７）。
【００４０】
次に、ＳＡＰとＰＡＰとを定義するまでに必要なドラッグ＆ドロップの回数について説明する。説明を簡単にするために、
・両保険の定義に必要な項目の数が４０、
・ＳＡＰの定義にのみ必要な項目の数が１０、
・ＰＡＰの定義にのみ必要な項目の数が１０、とする。
【００４１】
従来方法では、
・ＳＡＰを定義するために、両保険の定義に必要な４０の項目とＳＡＰの定義にのみ必要な１０の項目とをＳＡＰ用商品フォルダにドラッグ＆ドロップし、
・ＰＡＰを定義するために、両保険の定義に必要な４０の項目とＰＡＰの定義にのみ必要な１０の項目とをＰＡＰ用商品フォルダにドラッグ＆ドロップするから、
合計１００回ドラッグ＆ドロップをしなければならない。
【００４２】
一方、第１実施形態の方法では、
・両保険の定義に必要な４０の項目を全保険共通分類フォルダにドラッグ＆ドロップし、
・ＳＡＰの定義にのみ必要な１０の項目をＳＡＰ用分類フォルダにドラッグ＆ドロップし、
・ＰＡＰの定義にのみ必要な１０の項目をＰＡＰ用分類フォルダにドラッグ＆ドロップし、
・ＳＡＰを定義するために、両保険共通分類フォルダとＳＡＰ用分類フォルダをＳＡＰ用商品フォルダにドラッグ＆ドロップし、
・ＰＡＰを定義するために、両保険共通分類フォルダとＰＡＰ用分類フォルダをＰＡＰ用商品フォルダにドラッグ＆ドロップするから、
合計６４回ドラッグ＆ドロップをすれば足りる。
【００４３】
つまり、第１実施形態によれば、商品定義に必要なドラッグ＆ドロップ回数を１００回から６４回へと大幅に減少させることができる。
【００４４】
また、ＳＡＰを定義した後に、ＰＡＰのような類似する商品を新たに定義する場合、ＳＡＰとＰＡＰとの共通の項目をいじらずに、相違する項目のみを修正すれば良いから、ＰＡＰの定義が容易である。
【００４５】
さらに、定義済みのＳＡＰに、制度の変更などを加味して修正を加える場合にも、項目のグルーピングや商品定義のプロセスが明確であり、どことどこを修正すれば良いかが容易に把握できるから、修正ミスを犯すおそれがとても低い。
【００４６】
（第２実施形態）
第１実施形態では、第１乃至第７の項目ファイルを第１乃至第３の分類フォルダを経て第１及び第２の商品を定義したが、第２実施形態では第１乃至第１１の項目ファイルを第１乃至第７の分類フォルダを経て第１乃至第４の商品を定義する。
【００４７】
システム全体の構成、金融商品定義プログラムの構成並びに、項目ファイルを分類フォルダに関連付け、さらに分類フォルダを商品フォルダに関連付けるための金融商品定義プログラム及びＯＳの働きは第１実施形態と同様である。
【００４８】
最初に、ステップＳ１０１において、金融商品定義プログラム１０は、モニタ画面１５上に、
（１）第１乃至第１１の項目ファイルを表示する項目ファイル表示領域７０１と、
（２）全保険共通分類（第１分類）フォルダ、
自動車保険共通分類（第２分類）フォルダ、
火災保険共通分類（第３分類）フォルダ、
ＳＡＰ用分類（第４分類）フォルダ、
ＰＡＰ用分類（第５分類）フォルダ、
簡易火災保険用分類（第６分類）フォルダ、及び
普通火災保険用分類（第７分類）フォルダを表示する分類フォルダ表示領域７０３の２つの領域を同時に表示する。
【００４９】
次に、ステップＳ１０３，１０５において、第１乃至第３項目が全保険共通分類（第１分類）フォルダに、第４及び第５項目が自動車保険共通分類（第２分類）フォルダに、第６及び第７項目が火災保険共通分類（第３分類）フォルダに、第８項目がＳＡＰ用分類（第４分類）フォルダに、第９項目がＰＡＰ用分類（第４分類）フォルダに、第１０項目が簡易火災保険用分類（第６分類）フォルダに、第１１項目が普通火災保険用分類（第７分類）フォルダに、それぞれドラッグ＆ドロップされる。
【００５０】
次に、ステップＳ１０７において、金融商品定義プログラム１０は、第１乃至第３項目を全保険共通分類（第１分類）フォルダに、第４及び第５項目を自動車保険共通分類（第２分類）フォルダに、第６及び第７項目を火災保険共通分類（第３分類）フォルダに、第８項目をＳＡＰ用分類（第４分類）フォルダに、第９項目をＰＡＰ用分類（第４分類）フォルダに、第１０項目を簡易火災保険用分類（第６分類）フォルダに、第１１項目を普通火災保険用分類（第７分類）フォルダに、それぞれ関連付けて記憶する。
【００５１】
この関連付けは、関連付け情報記憶機能６０が、例えば図９に示すように、ドロップ先の分類フォルダを特定する情報と、ドラッグ対象の項目ファイルを特定する情報とを対応付けるテーブルＴ９０１を作成する。テーブルＴ９０１は、
・分類番号「Ｂ１」で特定される全保険共通分類フォルダが、第１乃至第３の項目ファイルに関連付けられ、
・分類番号「Ｂ２」で特定される自動車共通分類フォルダが、第４及び第５の項目ファイルに関連付けられ、
・分類番号「Ｂ３」で特定される火災共通分類フォルダが、第６及び第７の項目ファイルに関連付けられ、
・分類番号「Ｂ４」で特定されるＳＡＰ用分類フォルダが、第８の項目ファイルに関連付けられ、
・分類番号「Ｂ５」で特定されるＰＡＰ用分類フォルダが、第９の項目ファイルに関連付けられ、
・分類番号「Ｂ６」で特定される簡易火災保険用分類フォルダが、第１０の項目ファイルに関連付けられ、
・分類番号「Ｂ７」で特定される普通火災保険用分類フォルダが、第１１の項目ファイルに関連付けられ、ていることを示す。
【００５２】
次に、ステップＳ１０９において、金融商品定義プログラム１０は、
（１）全保険共通分類（第１分類）フォルダ、
自動車保険共通分類（第２分類）フォルダ、
火災保険共通分類（第３分類）フォルダ、
ＳＡＰ用分類（第４分類）フォルダ、
ＰＡＰ用分類（第５分類）フォルダ、
簡易火災保険用分類（第６分類）フォルダ、及び
普通火災保険用分類（第７分類）フォルダを表示する分類フォルダ表示領域７０３と、
（２）ＳＡＰ用商品（第１商品）フォルダ、
ＰＡＰ用商品（第２商品）フォルダ、
簡易火災保険用商品（第３商品）フォルダ、及び
普通火災保険用商品（第４商品）フォルダを表示する商品フォルダ表示領域８０３の２つの領域を同時にモニタ画面１５上に表示する。
【００５３】
次に、ステップＳ１１１，１１３において、（１）全保険共通分類（第１分類）フォルダと自動車保険共通分類（第２分類）フォルダとＳＡＰ用分類（第４分類）フォルダが、ＳＡＰ用商品（第１商品）フォルダに、（２）全保険共通分類（第１分類）フォルダと自動車保険共通分類（第２分類）フォルダとＰＡＰ用分類（第５分類）フォルダが、ＰＡＰ用商品（第２商品）フォルダに、（３）全保険共通分類（第１分類）フォルダと火災保険共通分類（第３分類）フォルダと簡易火災保険用分類（第６分類）フォルダが、簡易火災保険用商品（第３商品）フォルダに、（４）全保険共通分類（第１分類）フォルダと火災保険共通分類（第３分類）フォルダと普通火災保険用分類（第７分類）フォルダが、普通火災保険用商品（第４商品）フォルダに、それぞれドラッグ＆ドロップされる。
【００５４】
この結果、（１）第１乃至第５の項目ファイルと第８の項目ファイルとがＳＡＰ用商品（第１商品）フォルダに、（２）第１乃至第５の項目ファイルと第９の項目ファイルとがＰＡＰ用商品（第２商品）フォルダに、（３）第１乃至第３の項目ファイルと第６及び第７の項目ファイルと第１０の項目ファイルとが簡易火災保険用商品（第３商品）フォルダに、（４）第１乃至第３の項目ファイルと第６及び第７の項目ファイルと第１１の項目ファイルとが普通火災保険用商品（第４商品）フォルダに、それぞれ関連付けて記憶される。
【００５５】
この関連付けは、関連付け情報記憶機能６０が、例えば図９に示すように、ドロップ先の商品フォルダを特定する情報と、ドラッグ対象の分類フォルダを特定する情報とを対応付けるテーブルＴ９０３を作成する。テーブルＴ９０３は、
・商品名「ＳＡＰ」で特定される商品定義フォルダが、第１，第２及び第４の分類ファイルに関連付けられ、
・商品名「ＰＡＰ」で特定される商品定義フォルダが、第１，第２及び第５の項目ファイルに関連付けられ、
・商品名「簡易火災」で特定される商品定義フォルダが、第１，第３及び第６の項目ファイルに関連付けられ、
・商品名「普通火災」で特定される商品定義フォルダが、第１，第３及び第７の項目ファイルに関連付けられ、ていることを示す。
【００５６】
次に、ＳＡＰとＰＡＰと簡易火災保険と普通火災保険とを定義するまでに必要なドラッグ＆ドロップの回数について説明する。説明を簡単にするために、
・全ての保険の定義に必要な項目の数が２０、
・ＳＡＰとＰＡＰの両自動車保険の定義に必要な項目の数が２０、
・簡易火災保険と普通火災保険の両火災保険の定義に必要な項目の数が２０、
・ＳＡＰの定義にのみ必要な項目の数が１０、
・ＰＡＰの定義にのみ必要な項目の数が１０、
・簡易火災保険の定義にのみ必要な項目の数が１０、
・普通火災保険の定義にのみ必要な項目の数が１０、とする。
【００５７】
従来方法では、
・ＳＡＰを定義するために、全ての保険の定義に必要な２０の項目と、両自動車保険の定義に必要な２０の項目と、ＳＡＰの定義にのみ必要な１０の項目をＳＡＰ用商品フォルダにドラッグ＆ドロップし、
・ＰＡＰを定義するために、全ての保険の定義に必要な２０の項目と、両自動車保険の定義に必要な２０の項目と、ＰＡＰの定義にのみ必要な１０の項目をＰＡＰ用商品フォルダにドラッグ＆ドロップし、
・簡易火災保険を定義するために、全ての保険の定義に必要な２０の項目と、両火災保険の定義に必要な２０の項目と、簡易火災保険の定義にのみ必要な１０の項目を簡易火災保険用商品フォルダにドラッグ＆ドロップし、
・普通火災保険を定義するために、全ての保険の定義に必要な２０の項目と、両火災保険の定義に必要な２０の項目と、普通火災保険の定義にのみ必要な１０の項目を普通火災保険用商品フォルダにドラッグ＆ドロップするから、
合計２００回ドラッグ＆ドロップをしなければならない。
【００５８】
一方、第２実施形態の方法では、
まず、
・全ての保険の定義に必要な２０の項目を全保険共通分類フォルダにドラッグ＆ドロップし、
・両自動車保険の定義に必要な２０の項目を自動車保険共通分類フォルダにドラッグ＆ドロップし、
・火災保険の定義に必要な２０の項目を火災保険共通分類フォルダにドラッグ＆ドロップし、
・ＳＡＰの定義にのみ必要な１０の項目をＳＡＰ用分類フォルダにドラッグ＆ドロップし、
・ＰＡＰの定義にのみ必要な１０の項目をＰＡＰ用分類フォルダにドラッグ＆ドロップし、
・簡易火災保険の定義にのみ必要な１０の項目を簡易火災保険用分類フォルダにドラッグ＆ドロップし、
・普通火災保険の定義にのみ必要な１０の項目を普通火災保険用分類フォルダにドラッグ＆ドロップするから、分類のために１００回ドラッグ＆ドロップをする。
【００５９】
さらに、
・ＳＡＰを定義するために、全保険共通分類フォルダと自動車保険共通分類フォルダとＳＡＰ用分類フォルダをＳＡＰ用商品フォルダにドラッグ＆ドロップし、
・ＰＡＰを定義するために、全保険共通分類フォルダと自動車保険共通分類フォルダとＰＡＰ用分類フォルダをＰＡＰ用商品フォルダにドラッグ＆ドロップし、
・簡易火災保険を定義するために、全保険共通分類フォルダと火災保険共通分類フォルダと簡易火災保険用分類フォルダを簡易火災保険用商品フォルダにドラッグ＆ドロップし、
・普通火災保険を定義するために、全保険共通分類フォルダと火災保険共通分類フォルダと普通火災保険用分類フォルダを普通火災保険用商品フォルダにドラッグ＆ドロップするから、商品定義のために１２回ドラッグ＆ドロップをする。
【００６０】
よって、合計１１２回ドラッグ＆ドロップをすれば足りる。
【００６１】
つまり、第２実施形態によれば、商品定義に必要なドラッグ＆ドロップ回数を２００回から１１２回へと大幅に減少させることができる。
【００６２】
また、第２実施形態においても、第１実施形態と同様に、類似商品の定義が簡単に、迅速になり、また修正の際の誤り発生を回避することができる。
【００６３】
【発明の効果】
前記の如く、本発明によれば、複数の項目のそれぞれを複数の商品のそれぞれに関連付けるために必要な操作の数を減少させることができ、そのような操作に要する時間の短縮化、そのような操作労力の軽減化が可能となる。
【００６４】
また、第１の商品を定義した後に、第１の商品に類似する第２の商品を新たに定義する場合、第１の商品と第２の商品との共通の項目をいじらずに、相違する項目のみを修正すれば良いから、第２の商品の定義が容易である。
【００６５】
さらに、定義済みの商品に、制度の変更などを加味して修正を加える場合にも、項目のグルーピングや商品定義のプロセスが明確なので、どことどこを修正すれば良いかが容易に把握できる。
【図面の簡単な説明】
【図１】本発明の実施形態にかかるコンピュータシステムの一構成例を示すブロック図である。
【図２】金融商品定義プログラムとＯＳとの関係を示すブロック図である。
【図３】第１実施形態及び第２実施形態における処理の流れを示すフローチャートである。
【図４】第１実施形態において、項目ファイル表示領域と分類フォルダ表示領域の２つの領域を表示した状態を示す一例である。
【図５】第１実施形態において、分類フォルダ表示領域と商品定義フォルダ表示領域の２つの領域を表示した状態を示す一例である。
【図６】第１実施形態において、項目ファイルと分類フォルダとの関連付け、分類フォルダと商品定義フォルダとの関連付けを記憶するテーブルを示す一例である。
【図７】第２実施形態において、項目ファイル表示領域と分類フォルダ表示領域の２つの領域を表示した状態を示す一例である。
【図８】第２実施形態において、分類フォルダ表示領域と商品定義フォルダ表示領域の２つの領域を表示した状態を示す一例である。
【図９】第２実施形態において、項目ファイルと分類フォルダとの関連付け、分類フォルダと商品定義フォルダとの関連付けを記憶するテーブルを示す一例である。
【符号の説明】
１０…金融商品定義プログラム
５２…ファイル表示機能
５４…ファイル選択機能
５６…フォルダ表示機能
５８…フォルダ選択機能
６０…関連付け情報記憶機能
【図１】
2004295630.tif 000003
【図２】
2004295630.tif 000004
【図３】
2004295630.tif 000005
【図４】
2004295630.tif 000006
【図５】
2004295630.tif 000007
【図６】
2004295630.tif 000008
【図７】
2004295630.tif 000009
【図８】
2004295630.tif 000010
【図９】
2004295630.tif 000011